(57)【要約】      （修正有）【課題】無線ネットワークシステムの運用領域内の電波伝搬特性を、より良好な通信性能となるように変更することの容易な反射装置を提供する。【解決手段】誘電体基板１１１上に、電気長が四分の一波長の反射素子片１１２と、入力光の強度により反射素子片１１２の接続状態を変更する接続素子１１３を配置し、例えば反射素子１１０を装着した表示パネルの表示画像を変更することで、反射装置１１０の反射特性を変更する。より良好な通信状態となる反射特性に設定することで、総じて無線ネットワークシステムの運用領域内の電波伝搬特性を、より良好な特性に変更する。【選択図】  図２
2007143044.tif 000002
【特許請求の範囲】
【請求項１】
屋内外で使用される無線ネットワークシステムの運用領域内に配置され、無線機器周辺を含めた運用領域内の電波伝搬特性を変更する反射装置であって、
金属等の導電性材料からなる複数の反射素子片と、
前記反射素子片間の接続状態を変更することで反射装置の反射特性を変更する少なくとも１つの接続素子とを備えた反射装置。
【請求項２】
請求項１記載の反射装置であって、
前記無線ネットワークシステムの使用周波数における電気長が四分の一波長であって、  前記接続素子の接続によって電気長が二分の一波長となるように形成された反射素子片を備えた反射装置。
【請求項３】
請求項２記載の反射装置であって、
格子状に配置された複数の前記反射素子片を備えた反射装置。
【請求項４】
請求項１記載の反射装置であって、
縦横が無線ネットワークシステムの使用周波数で電気長が四分の一波長の長さの十字状の反射素子片を備えた反射装置。
【請求項５】
請求項１記載の反射装置であって、
少なくとも１箇所に接続素子を有し、前記接続素子の接続によって、無線ネットワークシステムの使用周波数で電気長が一波長の周長となるように構成された環状の反射素子片を備えた反射装置。
【請求項６】
請求項１記載の反射装置であって、
誘電体基板を有し、前記誘電体基板上に配設された反射素子片と、前記反射素子片を接続するように前記誘電体基板上に配設された接続素子とを備えた反射装置。
【請求項７】
請求項６記載の反射装置であって、
前記接続素子が、入力光の有無により反射素子間の接続状態を切り換え可能に構成された反射装置。
【請求項８】
請求項７記載の反射装置であって、
前記接続素子は、入力光の一部を蓄積して入力光が停止した後も所定の期間、接続状態を維持する蓄光素子を備えた反射装置。
【請求項９】
請求項７記載の反射装置であって、
前記接続素子は、接続素子への入力光を遮ることで入力光が無い状態に接続素子の接続状態を固定する遮光器を備えた反射装置。
【請求項１０】
請求項７記載の反射装置であって、
前記接続素子は、薄膜フォトトランジスタを含む反射装置。
【請求項１１】
請求項７記載の反射装置であって、
前記接続素子は、前記接続素子の状態を切り換える所定の入力光を透過する透光性基板を含む反射装置。
【請求項１２】
請求項８記載の反射装置であって、
可撓性を持つ前記誘電体基板と、前記誘電体基板上に配設された反射素子片とこの反射素子片を接続する接続素子とを供え、表示パネルに貼着可能に構成された反射装置。
【請求項１３】
請求項１２記載の反射装置であって、
前記反射素子片及び接続素子を覆う透光性の可撓性カバー部材とを備えた反射装置。
【請求項１４】
請求項１３記載の反射装置であって、
前記反射素子は、前記誘電体基板が外側になるように表示パネルに貼着された反射装置。
【請求項１５】
請求項１３記載の反射装置であって、
前記反射素子は、前記可撓性カバー部材が外側になるように表示パネルに貼着された反射装置。
【請求項１６】
請求項１記載の反射装置であって、
前記接続素子は、反射素子片間を導通または遮断する内部状態を有し、
入力制御信号により内部状態を変更するように構成された反射装置。
【請求項１７】
請求項１記載の反射装置であって、
前記接続素子は、
電気的信号により接続状態を切り換えるように構成された反射装置。
【請求項１８】
請求項１記載の反射装置であって、
前記接続素子は、機械的スイッチを含む反射装置。
【請求項１９】
請求項１記載の反射装置であって、
前記接続素子は、物理的に破壊されることで接続状態を切り換え可能に構成された反射装置。
【請求項２０】
請求項１９記載の反射装置であって、
前記接続素子は、ネジ状の導通素子の着脱で接続状態を切り換え可能に構成された反射装置。
【請求項２１】
請求項６記載の反射装置であって、
液晶表示パネルの表面保護層を兼ねた誘電体基板を有し、前記液晶表示パネルに組み込まれた反射装置。
【請求項２２】
請求項６記載の反射装置であって、
壁、天井等に用いられる建築材を兼ねた誘電体基板を備えた反射装置。
【請求項２３】
請求項１記載の反射装置であって、
各々の接続素子の接続状態の分布である接続分布を変更する接続状態制御手段と、無線ネットワークシステムのアクセスポイントまたは端末の機能を有したコンピュータと前記接続状態制御手段をつなぎ前記アクセスポイントまたはコンピュータによる前記接続状態制御手段の制御を仲介するインターフェース手段を備えた反射装置。
【請求項２４】
請求項１記載の反射装置であって、
各々の接続素子の接続状態の分布である接続分布を変更する接続状態制御手段と、有線または無線ネットワークシステムと前記接続状態制御手段を接続し前記有線または無線ネットワークシステムを介した無線ネットワークシステムのアクセスポイントまたは端末の機能を有したコンピュータによる前記接続状態制御手段の制御を仲介するインターフェース手段を備えた反射装置。
【請求項２５】
請求項２４記載の反射装置であって、
前記接続状態制御手段はそれにより光信号により接続素子の接続分布を変更する反射装置。
【請求項２６】
請求項２４記載の反射装置であって、
前記接続状態制御手段は電気信号により接続素子の接続分布を変更する反射装置。
【請求項２７】
請求項１乃至２６のいずれかに記載の反射装置であって、
無線ネットワークシステムの端末の機能を有したコンピュータの表示パネルに装着され、
前記表示パネルに表示する画像を変更することにより前記反射装置の各々の接続素子の接続状態の分布である接続分布を変えて、
前記反射装置の反射状態を制御するように構成された制御手段を含む反射装置。
【請求項２８】
請求項１乃至２７のいずれかに記載の反射装置を、
無線ネットワークシステムの端末の機能を有したコンピュータの表示パネルに装着し、され、
前記表示パネルに表示する画像を変更することにより前記反射装置の各々の接続素子の接続状態の分布である接続分布を変えて、
前記反射装置の反射状態を制御するように構成された反射装置制御用プログラム。
【請求項２９】
請求項２８記載の反射装置制御用プログラムであって、
反射素子片の接続分布および前記接続分布に対応する表示画像のリストを有し、前記リストから選択した接続分布に対応した表示画像を表示するように構成された反射装置制御用プログラム。
【請求項３０】
請求項２８記載の反射装置制御用プログラムであって、
所定の周期で表示画像を変更し、各々の表示画像での通信エラー率を記録し、所定の期間内で通信エラーが最良となる表示画像を表示するように構成された反射装置制御用プログラム。
【請求項３１】
請求項２８記載の反射装置制御用プログラムであって、
所定の周期で表示画像を変更し、各々の表示画像での通信速度を記録し、所定の期間内で通信速度が最良となる表示画像を表示するように構成された反射装置制御用プログラム。
【請求項３２】
請求項２８記載の反射装置制御用プログラムであって、
所定の周期で表示画像を変更し、各々の表示画像での通信品質を記録し、所定の期間内で通信品質が最良となる表示画像を表示するように構成された反射装置制御用プログラム。
【請求項３３】
請求項１乃至２７のいずれかに記載の反射装置を、
無線ネットワークシステムのアクセスポイントが有線または無線ネットワークシステムを経由して制御し、前記無線ネットワークシステムの運用領域内の電波伝搬特性を変更するように構成した無線ネットワークシステム。
【請求項３４】
請求項３３に記載の無線ネットワークシステムであって、
最適反射特性検索期間では、無線ネットワークシステムのアクセスポイントに接続された前記反射装置の接続素子の接続分布を変更するとともに、前記アクセスポイントで有線または無線ネットワークシステムを介して前記反射装置の接続素子の接続分布を変更し、所定の期間の前記無線ネットワークシステムの通信性能を前記アクセスポイントで記録し、最もよい通信性能となる前記反射装置の接続素子の接続分布を測定し、
通常通信期間では、前記最適反射特性検索期間で測定した最もよい通信性能となる前記接続分布に前記反射装置を設定するようにした無線ネットワークシステム。
【請求項３５】
請求項３３に記載の無線ネットワークシステムであって、
無線ネットワークシステムの所定の端末に対して最適反射特性検索期間を設け、最もよい通信性能となる反射装置の接続分布を測定し、
前記端末に対応した無線通信期間では前記最適反射特性検索期間で測定した前記接続分布に前記反射装置を設定するようにした無線ネットワークシステム。
【請求項３６】
請求項３３に記載の無線ネットワークシステムであって、
反射装置の接続素子の接続状態を変更する着脱可能な接続状態変更素子と、前記接続状態変更素子を制御して各々の前記接続素子の接続状態の分布である接続分布を変更し前記有線または無線ネットワークシステムを介した無線ネットワークシステムのアクセスポイントまたは端末の機能を有したコンピュータによる前記接続状態制御手段の制御を仲介するインターフェース手段を備えた無線ネットワークシステム。
【請求項３７】
請求項３３に記載の無線ネットワークシステムであって、
前記反射装置の各々の接続素子への入力光の透過および遮断状態を切り換えることで前記接続素子を制御する接続状態変更素子を備えた無線ネットワークシステム。
【請求項３８】
請求項３３に記載の無線ネットワークシステムであって、
前記反射装置の接続素子の接続分布を変更し、所定の期間の前記無線ネットワークシステムの通信性能を前記アクセスポイントで記録し、最も良好な通信性能となる接続分布を測定し、
前記反射条件制御装置を取り外した後に、接続素子への入力光を遮断する遮断器を前記接続分布に対応するよう所定の接続素子に装着した無線ネットワークシステム。
【請求項３９】
請求項３３に記載の無線ネットワークシステムであって、
前記反射装置の導通素子を置き換えて反射素子片間の接続状態を制御する接続状態変更素子を備えた無線ネットワークシステム。
【請求項４０】
請求項３３に記載の無線ネットワークシステムであって、
反射条件制御装置を装着した状態で、無線ネットワークシステムのアクセスポイントで前記反射条件制御装置を制御して前記反射装置の接続素子の接続分布を変更し、所定の期間の前記無線ネットワークシステムの通信性能を前記アクセスポイントで記録し、最も良好な通信性能となる接続分布を測定し、
前記反射条件制御装置を取り外した後に、前記接続分布に対応するよう所定の個所に導通素子を装着した無線ネットワークシステム。
【発明の詳細な説明】
【技術分野】
【０００１】
本発明は、反射装置、反射装置制御用プログラムこれを用いた無線ネットワークシステムにかかり、特に主としてマイクロ波またはミリ波による無線通信を利用した、アクセスポイントと端末で構成される無線ネットワークシステムの伝送路形成方法に関わる反射装置およびその制御方式に関するものである。
【背景技術】
【０００２】
従来の伝送路形成方法としては、無線ネットワークシステムの運用領域内の天井に反射板を設けアクセスポイントと端末間に伝送路を形成するものがある（例えば、特許文献１参照）。図２６は、前記特許文献１に記載された従来の伝送路形成方法を示すものである。
図２６において、天井５に取り付けられたアクセスポイントである親機１のアンテナ２と、端末である子機３のアンテナ４の間に、伝送路Ａ、Ｂを形成するように反射板６を設置し、障害物である人１０により影響されない伝送路を形成していた。
【０００３】
【特許文献１】特開平１１−１２７０９６（第３−４項、図１）
【発明の開示】
【発明が解決しようとする課題】
【０００４】
屋内で利用される無線ネットワークシステムにおいては、運用領域内の机、パーティション、書棚、ロッカー等の什器や、天井、壁、ドア等の部屋構造物、人等による反射、回折、散乱等により生じたアクセスポイント−端末間の複数の伝送路の総体である電波伝搬特性がアクセスポイント−端末間の通信性能に影響を及ぼす。従って、無線ネットワークシステムの運用領域内の什器配置、ドア開閉等の部屋形状の変化、人の移動、端末の移動等により、アクセスポイント−端末間の通信性能は、変化する。
【０００５】
しかしながら、上記構成では、唯一の伝送路の形成を目的としており、反射波、散乱波により発生するその他の伝送路の影響を考慮できないという課題を有していた。
また、アクセスポイントを障害物で遮られることがない高所に設置する必要があり、アクセスポイントの配置や配置個所の変更を容易に行うことが困難であり、加えて天井に突起物を配置することとなり安全性および美観を損なうという課題を有していた。
【０００６】
更には、反射板によって形成される伝搬路は固定であるために、オフィス等での什器配置の変更に柔軟に対応することが困難であり、加えて可搬性の高い小形のコンピュータ装置を端末として用いる場合、特定の場所でしか端末としての性能を発揮出来ないために、コンピュータの可搬性を損なってしまうという課題を有していた。
【０００７】
本発明は、前記実情に鑑みてなされたもので、無線ネットワークシステム内の運用領域内の什器配置、障害物の移動や、端末の移動変化に対応してアクセスポイントと端末の間に形成される伝搬路の総体である電波伝搬特性を変更することで、無線ネットワークシステムの通信性能を向上することを目的とする。
【課題を解決するための手段】
【０００８】
前記課題を解決するため、本発明の反射装置は、金属等の導電性材料からなる反射素子片と、反射素子片間の接続状態を変更する接続素子を備え、接続素子による反射素子片間の接続状態の分布である接続分布を変更することで反射装置の反射特性を変更する。
【０００９】
本構成によって、反射装置に入射した電波の反射特性が変化し、１台以上の反射装置を配置することで総じて無線ネットワークシステムの運用領域内での電波伝搬特性をより良好な通信性能が発揮される伝送路が形成された状態に変更することで、通信性能を向上することが出来る。
【００１０】
また、本発明の反射装置は、無線ネットワークシステムの使用周波数で電気長が四分の一波長の反射素子片を備え、接続素子で接続することで半波長ダイポールアンテナを形成する。
本構成によって、電気長が四分の一波長の導体片単体の微弱な反射動作と、半波長ダイポールアンテナでの再放射による強固な反射動作を切り換えることで、反射装置での反射特性を大きく変更でき、電波伝搬特性をより大きく変更することが出来る。
【００１１】
また、本発明の反射装置は、格子状に配置された反射素子片を備え、接続素子で接続することで反射装置の縦方向および横方向に半波長ダイポールアンテナを形成する。
本構成によって、反射装置に入射した電波の縦方向および横方向の偏波成分各々に対して反射特性を変更することで、特定偏波に偏らずに無線ネットワークシステムの運用領域内での電波伝搬特性を変更することが出来る。
【００１２】
また、本発明の反射装置は、無線ネットワークシステムの使用周波数で電気長が四分の一波長の縦横の長さの十字状の反射素子片を備え、接続素子で接続することで縦方向および横方向に半波長ダイポールアンテナを形成する。
本構成によって、反射装置に入射した電波の縦方向および横方向の偏波成分各々に対して反射特性を変更することで、特定偏波に偏らずに無線ネットワークシステムの運用領域内での電波伝搬特性を変更することが出来る。
【００１３】
また、本発明の反射装置は、無線ネットワークシステムの使用周波数で電気長が一波長の周長の環状の反射素子片を備え、接続素子で接続することで、一波長ループアンテナを形成する。
本構成によって、反射装置に入射した電波の縦方向および横方向の偏波成分各々に対して反射特性を変更することで、特定偏波に偏らずに無線ネットワークシステムの運用領域内での電波伝搬特性を変更することが出来る。
【００１４】
また、本発明の反射装置は、誘電体基板と、誘電体基板上の反射素子片と、反射素子片を接続する誘電体基板上の接続素子を備え、反射素子片間の接続状態を変更することで反射装置の反射特性を変更する。
本構成によって、反射素子片および接続素子の保持が容易となり、更には回路基板の加工工程および部品実装工程を適用することで、安価に反射装置を量産することが可能となる。
【００１５】
また、本発明の反射装置は、入力光の有無により反射素子間の接続状態を切り換える接続素子を備え、入力光の有無で反射特性を変更する。
本構成によって、反射装置への入力光により反射装置に入射した電波の反射特性が変化し、総じて無線ネットワークシステムの運用領域内での電波伝搬特性を変更することが出来る。
【００１６】
また、本発明の反射装置は、入力光の一部を蓄積する蓄光素子を有し、入力光が停止した後も所定の期間は接続状態を維持する。
本構成によって、入力光の瞬断による反射動作の不安定動作を抑え、安定した伝送路形成が可能となる。
【００１７】
また、本発明の反射装置は、接続素子への入力光を遮る遮光器を備え、入力光が無い状態に接続素子の接続状態を固定する。
本構成によって、照明等の一様な光入力状態において所定の反射特性が発揮され、照明のオン／オフにより無線ネットワークシステムの運用領域内での電波伝搬特性を変更することが出来る。
【００１８】
また、本発明の反射装置は、薄膜フォトトランジスタからなる接続素子を備え、薄型の反射装置を形成する。
本構成によって、薄膜プロセスを適用することで、量産性に適した反射装置の提供を可能とする。
【００１９】
また、本発明の反射装置は、接続素子の状態を切り換える所定の入力光を透過する誘電体基板を有し、誘電体基板裏面からの透過光により接続素子の動作を切り換える。
本構成によって、機器表面に誘電体基板を向けることで、反射素子片、接続素子を保護された面に配置出来る。
【００２０】
また、本発明の反射装置は、透明なフィルム状の誘電体基板と、誘電体基板上の反射素子片および接続素子に被せられた透明なフィルム状カバーを備え、フィルム状の反射装置を構成する。
本構成により、液晶表示パネル表面に視認性を損なわずに反射装置を装着出来る。
【００２１】
また、本発明の反射装置は、反射素子片間を導通または遮断する内部状態を有し、入力制御信号により内部状態を変更する。
本構成により、伝搬路を変更する時のみ信号入力を必要とする反射装置を実現出来る。
【００２２】
また、本発明の反射装置は、電気的信号により接続状態を切り換える接続素子を備え、電気信号で反射状態を切り換える。
本構成により、一般的な電気信号による制御回路と反射装置を接続することで、伝搬路形成を制御するシステムを構築出来る。
【００２３】
また、本発明の反射装置は、機械的スイッチを有する接続素子を備え、スイッチの切り換えで反射状態を切り換える。
本構成により、入力信号が無い状態では反射動作が変化しない反射装置を実現できる。
【００２４】
また、本発明の反射装置は、物理的に破壊されることで接続状態を切り換える接続素子を備える。
本構成により、反射装置の反射特性を所定の状態に固定出来、所定の反射特性に設定した反射装置を用意することで、容易に反射装置を施工することが可能となる。
【００２５】
また、本発明の反射装置は、ネジ状の導通素子の着脱で接続状態を切り換える接続素子を備え、導通素子の着脱で反射状態を切り換える。
本構成により、所定の反射状態に設定することが出来、什器配置等の変更により伝搬路形成を変更する必要が生じた場合には導通素子の着脱により設定を変更可能な反射装置を実現できる。
【００２６】
また、本発明の反射装置は、液晶表示パネルの保護材を兼ねた誘電体基板を備え、装着することで液晶表示パネル表面を保護する。
本構成により、反射装置を装着することで、同時に液晶保護パネルの表面を保護できる反射装置の実現ができる。
【００２７】
また、本発明の反射装置は、液晶表示パネルの表面保護層を兼ねた誘電体基板を有し、反射装置を液晶表示パネルに組み込む。
本構成により、液晶表示パネル一体型の反射装置を実現できる。
【００２８】
また、本発明の反射装置は、壁、天井等に用いられる建築材を兼ねた誘電体基板を備え、建築材に反射装置を組み込む。
本構成により、反射装置機能を備えた壁パネル、天井パネル等の安全性および美観を損なわない高機能建築材を実現できる。
【００２９】
また、本発明の反射装置は、接続素子を制御する接続状態制御手段と、無線ネットワークシステムの端末の機能を有したコンピュータまたは無線ネットワークシステムのアクセスポイントと接続状態制御手段をつなぐインターフェース手段を備え、コンピュータまたはアクセスポイントにより反射動作を制御する。
本構成により、コンピュータまたはアクセスポイントでの通信性能を指標として、より良い反射状態に設定することが出来、１つ以上の反射装置を配置し制御することで総じて無線ネットワークシステムの運用領域内により良好な通信性能となる伝送路を形成出来る。
【００３０】
また、本発明の反射装置制御方式は、無線ネットワークシステムの端末の機能を有したコンピュータの液晶表示パネルに反射装置を貼付け、液晶表示パネルに表示する画像を変更することにより反射装置の接続素子の接続状態を切り換え、反射装置の反射状態を制御する。
本方式により、コンピュータの液晶表示パネルに表示する画像を変更することで、液晶表示パネルへ到来した電波の反射特性を変えて、コンピュータ周辺に到来する無線ネットワークシステムの伝送路を切り換えることが出来る。
【００３１】
また、本発明の反射装置制御方式は、反射素子片の接続状態のリストを有し、リストから選択した接続状態に対応する画像を表示する。
本方式により、あらかじめ伝送路変更への寄与度の大きい接続素子の接続状態を抽出することで、効果的に無線ネットワークシステムの伝送路を変更出来る。
【００３２】
また、本発明の反射装置制御方式は、所定の周期で表示画像を変更し、各々の表示画像での通信エラー率を記録し、所定の期間内で通信エラーが最良となる表示画像を表示する。
本方式により、コンピュータの無線通信システムでの通信エラー特性が最良となる、無線ネットワークシステムの伝送路を形成出来る。
【００３３】
また、本発明の反射装置制御方式は、所定の周期で表示画像を変更し、各々の表示画像での通信速度を記録し、所定の期間内で通信速度が最良となる表示画像を表示する。
本方式により、コンピュータの無線通信システムでの通信速度が最速となる、無線ネットワークシステムの伝送路を形成出来る。
【００３４】
また、本発明の反射装置制御方式は、所定の周期で表示画像を変更し、各々の表示画像での通信品質を記録し、所定の期間内で通信品質が最良となる表示画像を表示する。
本方式により、コンピュータの無線通信システムでの通信品質が最良となる、無線ネットワークシステムの伝送路を形成出来る。
【００３５】
また、本発明の無線ネットワークシステム端末は、液晶表示パネルに組み込んだ反射装置と、反射装置周辺に配置された無線ネットワークシステム用アンテナを備え、反射装置での反射特性を変更することで、アンテナの指向特性を変更する。
本構成により、無線ネットワークシステムの運用領域内での伝送路特性に適したアンテナ指向特性に変更することが出来る。
【００３６】
また、本発明の反射装置は、接続素子を制御する接続状態制御手段と、有線または無線ネットワークシステムと前記接続状態制御手段を接続するインターフェース手段を備え、ネットワークを経由してアクセスポイントにより反射装置の反射特性を変更する。
本構成により、無線ネットワークシステム内でより良好な通信性能となる伝送路を形成する電波伝搬特性に設定することが出来る。
【００３７】
また、本発明の無線ネットワークシステムは、無線ネットワークシステムのアクセスポイントが有線または無線ネットワークシステムを経由して反射装置を制御して、無線ネットワークシステムの運用領域内の電波伝搬特性を変更する。
本構成により、アクセスポイントにより通信性能を測定しながら反射特性を変更することで、無線ネットワークシステム内でより良好な通信性能となる伝送路を形成する電波伝搬特性に設定することが出来る。
【００３８】
また、本発明の反射装置は、光信号により接続素子の接続分布を変更する接続状態制御手段を備え、光信号により反射装置の接続素子の接続分布を変更する。
本構成により、樹脂製光ファイバ等の電波の伝搬に影響の少ない信号伝送線路を用いた反射装置を実現出来る。
【００３９】
また、本発明の反射装置は、電気信号により接続素子の接続分布を変更する接続状態制御手段を備え、電気信号により接続分布を制御する。
本構成により、電気信号によるインターフェース系と容易に接続可能な反射装置を実現出来る。
【００４０】
また、本発明の無線ネットワークシステム制御方式は、最適反射特性検索期間では、無線ネットワークシステムのアクセスポイントに接続された反射装置の接続素子の接続分布を変更し、およびアクセスポイントで反射装置の接続素子の接続分布を変更し、所定の期間の無線ネットワークシステムの通信性能をアクセスポイントで記録し、通常通信期間では、反射装置を通信性能が最大となる接続分布に設定する。
本方式により、無線ネットワークシステムの通信性能が最大となる接続分布を探し出し、より良好な通信性能の伝送路を形成出来る。
【００４１】
また、本発明の無線ネットワークシステム制御方式は、所定の端末に対して最適反射特性検索期間を設け、端末との通信においては最適反射特性検索期間で測定したより良好な通信性能となる接続分布に設定して通信する。
本方式により、端末においてより良好な通信性能となる伝送路を形成することが出来る。
【００４２】
また、本発明の反射条件制御装置は、反射装置の接続素子の接続状態を変更する着脱可能な接続状態変更素子と、接続状態変更素子を制御して各々の接続素子の接続状態の分布である接続分布を変更し有線または無線ネットワークシステムを介した無線ネットワークシステムのアクセスポイントまたは端末の機能を有したコンピュータによる接続状態制御手段の制御を仲介するインターフェース手段を備え、ネットワークを経由して装着した反射装置の接続分布を制御する。
本構成により、反射装置に装着することで、ネットワークを経由して、より良好な通信性能となる反射分布を探し出すことが出来る。
【００４３】
また、本発明の反射条件制御装置は、反射装置の各々の接続素子への入力光の透過および遮断状態を切り換えることで接続素子を制御する接続状態変更素子を備え、ネットワークを経由して装着した反射装置の接続素子の接続分布を制御する。
本構成により、反射装置に装着することで、ネットワークを経由して、より良好な通信性能となる反射分布を探し出すことが出来る。
【００４４】
また、本発明の無線ネットワークシステム制御方式は、反射装置に反射条件制御装置を装着した状態で、無線ネットワークシステムのアクセスポイントで反射条件制御装置を制御して反射装置の接続分布を変更し、所定の期間の前記無線ネットワークシステムの通信性能をアクセスポイントで記録し、最も良好な通信性能となる接続分布を測定し、反射条件制御装置を取り外した後に、接続素子への入力光を遮断する遮断器を接続状態に対応するよう所定の接続素子に装着する。
本方式により、無線ネットワークシステムの運用領域内により良好な伝送路を形成する接続分布に反射装置を設定出来る。
【００４５】
また、本発明の反射条件制御装置は、反射装置の導通素子を置き換えて反射素子片間の接続状態を制御する接続状態変更素子を備え、導通素子に代わって反射素子片間の接続状態を制御する。
本構成により、反射装置に装着することで、ネットワークを経由して、より良好な通信性能となる反射分布を探し出すことが出来る。
【００４６】
また、本発明の無線ネットワークシステム制御方式は、反射装置に反射条件制御装置を装着した状態で、無線ネットワークシステムのアクセスポイントで反射条件制御装置を制御して反射装置の接続素子の接続分布を変更し、所定の期間の無線ネットワークシステムの通信性能をアクセスポイントで記録し、最も良好な通信性能となる接続分布を測定し、反射条件制御装置を取り外した後に、接続状態に対応するよう所定の個所に導通素子を装着する。
本方式により、無線ネットワークシステムの運用領域内により良好な伝送路を形成する接続分布に反射装置を設定出来る。
【発明の効果】
【００４７】
本発明の反射装置反射装置制御用プログラムこれを用いた無線ネットワークシステムによれば、接続素子により反射素子片間の接続状態を変更することで、反射装置に到来する電波の反射特性を変更することで、無線ネットワークシステムの運用領域内の電波伝搬特性を、より良好な通信性能となる伝送路が形成された状態に変更することを可能とし、通信性能を向上することが出来る。
【００４８】
また、反射装置制御用プログラムこれを用いた無線ネットワークシステムによれば、より良好な伝送路を形成する反射特性を発揮するように反射装置を設定でき、より良好な伝送路特性の無線ネットワークシステムを形成することが出来る。
加えて、建築材を兼ねた誘電体基板を用いることで、安全性および美観を損なうことなく、伝搬路を形成することが出来る。
【発明を実施するための最良の形態】
【００４９】
以下本発明の実施の形態について、図面を参照しながら説明する。
（実施の形態１）
図１は、本発明の実施の形態１における無線ネットワークシステムを示す図、図２はこの無線ネットワークシステムで用いられる反射装置１１０を示す図である。本実施の形態では、図２に示すように、無線ネットワークシステムの使用周波数で電気長が四分の一波長の反射素子片１１２を備え、接続素子１１３で接続することで半波長ダイポールアンテナを形成するようにしたことを特徴とするものである。
この構成によって、電気長が四分の一波長の導体片単体の微弱な反射動作と、導体片を接続した状態である半波長ダイポールアンテナでの再放射による強固な反射動作を切り換えることで、反射装置での反射特性を大きく変更することができ、電波伝搬特性をより大きく変更することが出来るようにしたものである。
【００５０】
図１において、無線ネットワークシステムは、無線通信によるデータ伝送を制御するアクセスポイント１と、移動端末としてのパーソナルコンピュータＰＣ３および、携帯電話端末７で構成される。無線ネットワークシステム運用領域８内に、ＰＣ３または携帯電話端末７の液晶表示パネルに装着された反射装置１００、アクセスポイント１またはＰＣ３に接続された反射装置２００、天井に配置された反射装置３００を配置する。無線ネットワークシステム運用領域内には、机、パーティション、書棚、ロッカー等の什器や、天井、壁等と部屋構造物、人等の障害物１０が配置および移動している。アクセスポイント１は、有線ネットワークシステム９と無線ネットワークシステムを接続するブリッジとしても機能している。ここで反射装置１００、２００、３００のいずれも、同様の構造を有し、使用周波数で電気長が四分の一波長の反射素子片１１２を備え、接続素子１１３で接続することで半波長ダイポールアンテナを形成するように構成する。
【００５１】
かかる構成によれば、無線ネットワークシステム運用領域８内では、障害物１０による反射、回折、散乱によりアクセスポイント１とＰＣ３および携帯電話端末７の間に複数の伝搬路があり、その総体である電波伝搬特性が無線ネットワークシステムの通信性能に影響している。更に、電波伝搬特性は、短期的には人の移動や、ドアの開閉等により変化し、長期的には什器等の配置変更に変化する。反射装置１００、２００、および３００での反射、散乱により生じる伝送路の変化も、アクセスポイント１とＰＣ３または携帯電話端末７の間の電波伝搬特性の一部を成す。従って、反射装置１００、２００、および３００の反射特性を変更することで、電波伝搬特性が変化する。
【００５２】
更には、アクセスポイント１、ＰＣ３、携帯電話端末７で反射装置１００、２００、および３００を制御し、無線ネットネットワークシステムの通信性能の変化を測定することで、より良好な通信性能を発揮する接続素子の接続分布に反射装置１００、２００、および３００を設定することで、通信性能を向上することが出来る。
なお、一例として天井５に反射装置３００を１台配置した図を示したが、無線ネットワークシステム運用領域８内に、適度な台数が配置されることでより伝送路の変更性が向上することから、複数台の反射装置３００を配置することが望ましい。
【００５３】
以上のように、無線ネットワークシステムの運用領域内に反射装置を配置し、アクセスポイントまたは端末で反射装置の反射特性を変更することで、通信性能を向上することが出来る。
【００５４】
図２は、前述した本発明の実施の形態１の反射装置を示す図で、図２（ａ）は表面図、図２（ｂ）は一部断面図である。
図２において、反射装置１１０は、誘電体基板１１１上に形成された金属等の導電性材料からなる反射素子片１１２と、反射素子片１１２間の接続状態を変更する接続素子１１３で構成される。反射素子片１１２は、無線ネットワークシステムで用いる周波数で電気長が四分の一波長のストリップ状の形状をしている。接続素子１１３は、入力光１１４の強度により接続状態が変化し、入力光が有る（所定の強度以上の入力光１１４がある）場合に導通状態となり、入力光が無い（入力光１１４が所定の強度以下の）場合に開放状態となり、例えばフォトトランジスタ、フォトダイオード等により構成される。誘電体基板１１１は接続素子１１３を動作させる入力光１１４を透過する。
かかる構成によれば、接続素子１１３により２つの反射素子片１１２の接続状態が導通状態に変更された場合には、無線ネットワークシステムで用いる周波数で半波長ダイポールアンテナが形成され、反射装置１１０に入射した電波は、再放射により散乱により、強く反射される。
【００５５】
一方、接続素子１１３により２つの反射素子片１１２の接続状態が開放状態に変更された場合には、反射装置１１０に入射した電波は、電気長四分の一波長の微小な金属片による散乱程度の僅かな影響を受け、入射した電波のほとんどは反射装置１１０を透過する。
以上のように、入力光の有無により、接続素子１１３で反射素子片１１２間の接続状態を導通と開放で切り換えることで、反射装置１１０に入射した電波の反射状態を反射と透過で切り換える。更に、接続素子１１３毎に接続状態を変えることで、接続状態の分布である接続分布に対応して、反射装置１１０での反射特性が変化する。
【００５６】
反射素子片１１２と接続素子１１３で形成された半波長ダイポールアンテナは、アレイアンテナにおけるアンテナ素子と等価であり、分布状態はアレイアンテナにおけるアンテナ素子からの放射強度をデジタル的に切り換えた状態に相当することから、アレイアンテナにおける指向特性形成と同様の作用により、入射角度、反射角度によって異なる反射強度を持つ反射特性に変更することが可能となる。
また、誘電体基板１１１の縦方向および横方向に、反射素子片１１２を配置することで、反射装置１１０に入射した電波の、縦方向の偏波成分と、横方向の偏波成分の反射特性を各々変更できる。
【００５７】
なお、図２においては、反射素子片と接続素子の組を、横方向のものを６組、縦方向のものを６組配置した例を示したが、反射装置の規模に応じて変更することが望ましく、組数を限定するものではない。
【００５８】
（実施の形態２）
次に本発明の実施の形態２について説明する。
図３は、本発明の実施の形態２の反射素子を示す図で、図３（ａ）は十字状の反射素子片１１５を用いた例であり、縦横が無線ネットワークシステムで用いる周波数で電気長が四分の一波長であり、図１と同様に接続素子で接続状態を導通状態にした場合、半波長ダイポールアンテナが形成され、再放射により入射電波が散乱される。平面図については前記実施の形態１と同様に形成される。
【００５９】
また、図３（ｂ）は図３（ａ）の変形例であり、環状の反射素子片１１６を用いている。この例では、周長が無線ネットワークシステムで用いる周波数で電気長が一波長であり、接続素子で接続状態を導通状態にした場合、一波長ループアンテナが形成され、図１と同様に再放射による散乱により、反射装置に入射した電波が強く反射される。
【００６０】
（実施の形態３）
次に本発明の実施の形態３について説明する。
図４は、本発明の実施の形態３の反射装置を示す断面図であり、接続素子に入力光の一部を蓄積、再放射する蓄光素子１２０を有する素子を用いたことを特徴とする。ここでは、蛍光体を用いた蓄光素子１２０により、短期間入力光１１４が無くなった場合でも接続状態が維持され、反射素子片１１２の接続状態の変動が抑えられ、入力光１１４の強度変動に対して反射装置の反射特性が安定化される。あるいは、フォトトランジスタをスイッチング素子とするとともに容量素子に電荷を蓄積するような構造を用いてもよい。
【００６１】
（実施の形態４）
次に本発明の実施の形態４について説明する。
図５は、本発明の実施の形態４の接続素子を示す拡大図で、異なる波長の入力光に対して動作する接続素子１３０、１３１を用いた例である。接続素子１３０は、所定の強度以上の所定の波長ａの入力光がある場合、反射素子片を内部抵抗で終端し、入射した電波を吸収する。接続素子１３１は、所定の強度以上の所定の波長ｂの入力光の有無に対応して、反射素子片を導通および開放状態にし、入射した電波を反射および透過する。かかる構成により、波長ａおよび波長ｂの異なる波長の入力光を用いることで、反射、吸収、透過の３つの状態に反射特性を切り換えることができる。接続素子１３０、１３１は、例えば透過する波長が各々波長ａおよび波長ｂと異なる光学フィルタ膜、反射素子１１３、内部抵抗を組み合わせることで実現することが出来る。
【００６２】
以上のように、入力光の強度の変化によって、接続素子により反射素子片間の接続状態を切り換えることで、反射装置の反射特性を変更できる。更に、複数の反射装置を配置することで、総じて無線ネットワークシステムの運用領域内の電波伝搬特性の変更が可能となる。
【００６３】
（実施の形態５）
図６は、本発明の実施の形態５の反射装置を示す図で、図６（ａ）は正面図、図６（ｂ）は一部断面図である。図６において、図１、図２と同じ構成要素については同じ符号を用い、説明を省略する。
【００６４】
図６において、反射装置１００は、透明なフィルム状誘電体基板１４１上に薄膜状の導電性材料からなる反射素子片１１２と、接続素子１１３を配置し、透明なフィルム状カバー１４２により反射素子片１１２および接続素子１１３を覆うことで構成される。フィルム状誘電体基板１４１下層には接着層１４３があり、液晶表示パネル等への反射装置１４０の装着を可能とする。
【００６５】
かかる構成の反射装置１００を、図７（ａ）に示すように、ＰＣの液晶表示パネル１５０に装着し、液晶表示パネル１５０上に表示される表示画像を変更する。表示画像は、表示画素１５１の集合であり、図７（ｂ）に示すように、接続素子１１３下の表示画素１５１の輝度が所定のレベル以上となる画像に対して接続素子は導通状態となり、半波長ダイポールアンテナが形成され、入射した電波は半波長ダイポールアンテナで強く反射される。また、図７（ｃ）示すように、接続素子１１３下の表示画その輝度が所定のレベル以下となる画像に対して接続素子は開放状態となり、反射素子片で僅かに散乱され、液晶表示パネルの透明電極層で反射され、図７（ｂ）の状態とは異なる条件で反射される。以上により、液晶表示パネル１５０への表示画像により、反射装置１００の接続素子の接続分布が変更され、反射装置１００での反射特性が変更される。
【００６６】
図８は表示する画像と、接続素子、画素の対応表のリストの一例である。液晶表示パネル１５０に表示する画像については、図８に示すような画像のリストを予め用意して、リストより表示画像を選択することで、反射特性の変更に効果的な画像表示が容易となる。
【００６７】
なお、表示画像としては反射装置下の全画像を変更する必要は無く、接続素子周辺のみ変更することで十分な効果が得られる。例えば、背景が透明なウィンドウ画像を用いても良い。
【００６８】
表示画像の選択方法としては、一定期間毎に、例えば図８のリストより選択した画像を切り換えて、期間中における無線ネットワークでの通信エラー率を記録し、最良の通信エラー率となる画像を用いることで、より良好な通信性能の実現が可能となる。通信環境によって適応的に通信速度を変更する無線ネットワークシステムにおいては、通信速度を指標として、通信速度が最大となる画像を用いても良い。更には、画像伝送のように継続的に一定量のデータ伝送を必要とする通信状態では、通信容量で代表される通信品質を指標として、通信品質が最良となる画像を用いても良い。
【００６９】
次にこの無線ネットワークシステムにおいて反射装置を最適化するための、表示画像の選択方法について説明する。
図９にフローチャートを示すように、一定期間毎に、図８のリストより選択した画像を切り換えて、期間中における無線ネットワークでの通信エラー率を記録し、最良の通信エラー率となる画像を用いることで、より良好な通信性能を実現するようにしたものである。
【００７０】
すなわち、図９において、最適画像選択処理を開始する（ステップ９０１）。例えばＭ種類の画像を用意する（ステップ９０２）。
【００７１】
まず最小値を初期化し（ステップ９０３）、ｉ番目の画像を表示する（ステップ９０４）。そしてｉ番目の画像における所定の期間のＰＣの無線ＬＡＮインターフェースでの通信エラー率を測定する（ステップ９０５）。
そして最小値よりエラー率が低いか否かを判断し（ステップ９０６）、最小値よりエラー率が低いと判断された場合はｉ番目の画像でのエラー率を最小値として保存する（ステップ９０７）。
【００７２】
一方最小値よりエラー率が高いと判断された場合はｉ番目の画像での通信エラー率を保存することなく、次の画像についての処理を行いＭ番目にいくまでステップ９０４に戻り、処理ループを続行する。
【００７３】
そして判断ステップ９０８でｉ＜Ｍでないと判断されると、ここでエラー率最小の画像を表示し（ステップ９０９）、最適画像の選択を完了する（ステップ９１０）。
このようにして良好な通信性能の実現が可能となる。
【００７４】
なお、通信環境によって適応的に通信速度を変更する無線ネットワークシステムにおいは、通信速度を指標として、通信速度が最大となる画像を用いても良い。
この例について図１０にフローチャートを示す。
【００７５】
すなわち、図１０において、最適画像選択処理を開始する（ステップ１００１）。例えばＭ種類の画像を用意する（ステップ１００２）。
【００７６】
まず最小値を初期化し（ステップ１００３）、ｉ番目の画像を表示する（ステップ１００４）。そしてｉ番目の画像における所定の期間のＰＣの無線ＬＡＮインターフェースでの通信速度を測定する（ステップ１００５）。
そして最速値より通信速度が速いか否かを判断し（ステップ１００６）、最速値より通信速度が速いと判断された場合はｉ番目の画像での通信速度を最速値として保存する（ステップ１００７）。
【００７７】
一方最速値より通信速度が速くないと判断された場合はｉ番目の画像での通信速度を保存することなく、次の画像についての処理を行いＭ番目にいくまでステップ１００４に戻り、処理ループを続行する。
【００７８】
そして判断ステップ１００８でｉ＜Ｍでないと判断されると、ここで通信速度最大の画像を表示し（ステップ１００９）、最適画像の選択を完了する（ステップ１０１０）。
このようにして良好な通信性能の実現が可能となる。
【００７９】
また、画像伝送のように継続的に一定量のデータ伝送を必要とする通信状態では、      通信容量で代表される通信品質を指標として、通信品質が最良となる画像を用いても良い。
この例について図１１にフローチャートを示す。
【００８０】
すなわち、図１１において、最適画像選択処理を開始する（ステップ１１０１）。例えばＭ種類の画像を用意する（ステップ１１０２）。
【００８１】
まず最良値を初期化し（ステップ１１０３）、ｉ番目の画像を表示する（ステップ１１０４）。そしてｉ番目の画像における所定の期間のＰＣの無線ＬＡＮインターフェースでの通信品質を測定する（ステップ１１０５）。
そして最良値より通信品質が良いか否かを判断し（ステップ１１０６）、最良値より通信品質が良いと判断された場合はｉ番目の画像での通信品質を最良値として保存する（ステップ１１０７）。
【００８２】
一方最良値より通信品質がよくないと判断された場合はｉ番目の画像での通信品質を保存することなく、次の画像についての処理を行い、Ｍ番目にいくまでステップ１１０４に戻り、処理ループを続行する。
【００８３】
そして判断ステップ１１０８でｉ＜Ｍでないと判断されると、ここで通信品質最高の画像を表示し（ステップ１１０９）、最適画像の選択を完了する（ステップ１１１０）。
このようにして良好な通信品質性能の実現が可能となる。
【００８４】
（実施の形態６）
図１２は、本発明の実施の形態６の反射装置の層構造を示す図であり、誘電体基板１４１が液晶表示パネル１６０の表面保護材を兼ね、フィルム状カバー１４２が表面を被覆する構造をとっている。
図１３は、本発明の反射装置の層構造の変形例を示した図で、液晶表示パネルの表面層１６０を誘電体基板として使用し、表面層１６０上に反射素子１１２、接続素子１１３を形成する。
【００８５】
図１４は、本実施の形態の反射装置を装着した端末を示した図で、端末であるＰＣ１８０の無線ネットワークシステム用アンテナ１８１の周辺の液晶表示パネル１５０上に、反射装置１００を装着している。アンテナ１８１の周辺の構造物での反射状態を反射装置１００により変更することで、等価的にアンテナ１８１の指向特性を変更することが出来、より良好な通信性能となる接続分布に反射装置１００を設定することで、ＰＣ１８０の通信性能を向上することが可能となる。
【００８６】
なお、図１４ではＰＣの液晶表示パネルに反射装置を装着した例を示したが、例えば画像表示パネルを備えた携帯電話等の携帯端末に装着しても良く、表示パネルとして液晶表示パネルに限定するものではない。
【００８７】
以上のように、透明なフィルム状誘電体基板を用いた反射装置を液晶表示パネルに装着し、表示画像により接続素子の接続分布を変更することで、反射装置での反射特性を変更する。更に、無線ネットワークでの通信状況が最良となる画像を選択することで、より良好な通信が可能となる。
【００８８】
（実施の形態７）
図１５は、本発明の実施の形態７の反射装置を示す図で、図１５（ａ）は斜視図、図１５（ｂ）は機能ブロック図である。図１５において、図１および図２と同じ構成要素については同じ符号を用い、説明を省略する。
【００８９】
図１５において、反射装置２００は、接続ケーブル２０１によりＰＣ３と接続され、インターフェース手段２１２を経て、接続素子１１３の接続分布を変更する接続状態制御手段２１１が制御される。
かかる構成により、接続素子１１３の接続分布を変えて反射状態を変更し、各接続分布毎の無線ネットワークシステムの通信性能を測定し、最良の通信性能となる接続分布を用いることで、より良好な通信性能での無線ネットワークシステムの通信状態が実現出来る。
【００９０】
なお、図１５ではＰＣ３に反射装置を接続した例を示したが、アクセスポイントに反射装置を接続し、無線ネットワークシステムでの平均的な通信性能を最大とする接続分布に設定することで、無線ネットワークシステムの通信性能を向上することが出来る。また、各端末毎に最良の通信性能となる接続分布を各々測定し、各々の端末に対応する通信期間において最良の接続分布を使用することで、端末毎の通信性能を向上することが出来る。
【００９１】
以上のように、アクセスポイントおよび端末により、インターフェース手段と接続状態制御手段を備えた反射装置を制御することで、より良好な通信性能となる接続分布を測定し、設定することで、電波伝搬特性を変更し、通信性能を向上することが出来る。
【００９２】
次にこの無線ネットワークシステムにおいて反射装置を最適化し、最適接続を探索する方法について説明する。
図１６にフローチャートを示すように、接続素子１１３の接続分布を変えて反射状態を変更し、接続分布毎の無線ネットワークシステムの通信性能を測定し、最良の通信性能となる接続分布を用いることで、より良好な通信性能での無線ネットワークシステムの通信状態を実現するものである。
【００９３】
図１６にフローチャートを示すように、最適接続探索が開始されると（ステップ１６０１）、性能評価する接続素子の接続分布リストが作成される。例えばＭ種類のテスト結果を用意する（ステップ１６０２）。
【００９４】
まず最良値を初期化し（ステップ１６０３）、ｉ番目の接続分布に接続状態を変更する（ステップ１６０４）。そしてｉ番目の接続分布における所定の期間のＰＣの無線ＬＡＮインターフェースの通信性能を測定する（ステップ１６０５）。
そして最良値より通信性能が高いか否かを判断し（ステップ１６０６）、最良値より通信性能が高いと判断された場合はｉ番目の接続分布での通信性能を最良値として保存する（ステップ１６０７）。
【００９５】
一方最良値より通信性能が低いと判断された場合はｉ番目の接続分布での通信性能を保存することなく、次の接続分布についての処理を行いＭ番目にいくまでステップ１６０４に戻り、処理ループを続行する。
【００９６】
そして判断ステップ１６０８でｉ＜Ｍでないと判断されると、ここで通信性能最良の接続分布で接続素子を接続し（ステップ１６０９）、最適接続検索期間を完了する（ステップ１６１０）。
このようにして良好な通信性能の実現が可能となる。
【００９７】
なお、図１６ではＰＣ３に反射装置を接続した例を示したが、アクセスポイントに反射装置を接続し、無線ネットワークシステムでの平均的な通信性能を最大とする接続分布に設定することで、無線ネットワークシステムの通信性能を向上することが出来る。
この例について図１７にフローチャートを示す。
【００９８】
すなわち、最適接続探索が開始されると（ステップ１７０１）、性能評価する接続素子の接続分布リストが作成される。例えばＭ種類のテスト結果を用意する（ステップ１７０２）。
【００９９】
まず最良値を初期化し（ステップ１７０３）、ｉ番目の接続分布に接続状態を変更する（ステップ１７０４）。そしてｉ番目の接続分布における所定の期間のＡＰでの通信性能を測定する（ステップ１７０５）。
そして最良値より通信性能が高いか否かを判断し（ステップ１７０６）、最良値より通信性能が高いと判断された場合はｉ番目の接続分布での通信性能を最良値として保存する（ステップ１７０７）。
【０１００】
一方最良値より通信性能が低いと判断された場合はｉ番目の接続分布での通信性能を保存することなく、次の接続分布についての処理を行いＭ番目にいくまでステップ１７０４に戻り、処理ループを続行する。
【０１０１】
そして判断ステップ１７０８でｉ＜Ｍでないと判断されると、ここで通信性能最良の接続分布で接続素子を接続し（ステップ１７０９）、最適接続検索期間を完了する（ステップ１７１０）。
このようにして良好な通信性能の実現が可能となる。
【０１０２】
また、図１８にフローチャートを示すように、端末毎に最良の通信性能となる接続分布を各々測定し、各々の端末に対応する通信期間において最良の接続分布を使用するようにしてもよい。この方法により、端末毎の通信性能を向上するようにしてもよい。
【０１０３】
すなわち、最適接続探索が開始されると（ステップ１８０１）、性能評価する接続素子の接続分布リストが作成される。例えばＭ種類のテスト結果を用意する（ステップ１８０２）。
【０１０４】
まずアクセスポイントＡＰに接続中の端末数Ｎを調査し（ステップ１８０３）、端末毎の最良値を初期化し（ステップ１８０４）、ｉ番目の接続分布に接続状態を変更する（ステップ１８０５）。そしてｊ＝１とし（ステップ１８０６）、ｊ番目の接続分布における所定の期間のＡＰでの端末ｊに対する通信性能を測定する（ステップ１８０７）。
そして、端末ｊの最良値より通信性能が高いか否かを判断し（ステップ１８０８）、最良値より通信性能が高いと判断された場合は、端末ｊの最良値として保存する（ステップ１８０９）。
【０１０５】
一方、最良値より通信性能が低いと判断された場合は、端末ｊの接続分布での通信性能を保存することなく、ｊ＜Ｎとなるまで、各端末に対して各接続分布についての処理を行いＭ番目にいくまでステップ１８０５に戻り、処理ループを続行する。
【０１０６】
そして判断ステップ１８１１でｉ＜Ｍでないと判断されると、ここで各々の端末に対して通信性能最高の接続分布で接続素子を接続し（ステップ１８１２）、最適接続検索期間を完了する（ステップ１８１３）。
このようにして良好な通信性能の実現が可能となる。
【０１０７】
（実施の形態８）
図１９は、本発明の実施の形態８の反射装置の概観図である。図１９において、図１および図２と同じ構成要素については同じ符号を用い、説明を省略する。
【０１０８】
図１９において、反射装置３００は、天井、壁等の建築材を兼ねた誘電体基板３１１と、各接続素子１１３に接続し制御信号を伝送するケーブル３０１と、接続素子１１３の接続状態を制御する接続状態制御手段３１２と、有線または無線ネットワークシステムと接続状態制御手段を接続し、無線ネットワークシステムのアクセスポイントまたは端末による反射装置３００の制御を仲介するインターフェース手段で構成される。
【０１０９】
なお、接続素子としてトランジスタやスイッチ素子を用い、印加電圧等の電気信号により制御する構成では、ケーブル３０１としては、銅線等を用いる。一方、接続素子としてフォトダイオード等を用い、入力光の強度等の光信号により制御する構成では、ケーブル３０１としては樹脂等の誘電体材料で構成される光ケーブルを用いる。光ケーブルは電波への影響が小さいことから、特に接続素子が多く、複雑なケーブル配置が必要となる場合は、光ケーブルの使用が望ましい。
【０１１０】
かかる構成により、無線ネットワークシステムのアクセスポイント１で制御される通信手順に、最適反射特性検索期間と、通常通信期間を設ける。最適反射特性検索期間では、一定期間毎にアクセスポイント１で反射装置３００の接続素子の接続分布を変更し、所定の期間内での無線ネットワークシステムの通信性能をアクセスポイント１で記録し、通信性能が最も良くなる接続分布を測定する。通常通信期間では、測定した通信性能が最良となる接続分布に反射装置３００を設定することで、より良好な通信性能での無線通信が可能となる。
【０１１１】
また、端末毎に最良な接続分布を測定し、各々の端末に対応する通信期間において、最良な接続分布に反射装置を設定することで、より良好な通信性能での無線通信が可能となる。
【０１１２】
なお、常時制御信号が接続素子に印加される例を示したが、内部状態を持つ接続素子を用いることで、接続状態を変更する場合のみ信号を入力する制御を行ってもよい。
【０１１３】
以上のように、有線または無線ネットワークシステムへのインターフェース手段を備えた反射装置をアクセスポイントで制御して、より良好な通信性能となる接続分布に反射装置を設定することで、電波伝搬特性を変更し、通信性能を向上することが出来る。
【０１１４】
次に、この無線ネットワークシステムにおいて反射装置を最適化し、最適な無線通信を行う条件設定方法について説明する。
図２０にフローチャートを示すように、無線ネットワークシステムのアクセスポイント１で制御される通信手順に、最適反射特性検索期間と、通常通信期間を設ける。最適反射特性検索期間では、一定期間毎にアクセスポイント１で反射装置３００の接続素子の接続分布を変更し、所定の期間内での無線ネットワークシステムの通信性能をアクセスポイント１で記録し、通信性能が最も良くなる接続分布を測定する。通常通信期間では、測定した通信性能が最良となる接続分布に反射装置３００を設定することで、より良好な通信性能での無線通信を行うようにしたものである。
【０１１５】
図２０にフローチャートを示すように、通常通信期間の間に最適反射特性検索期間を設け、通信が発生した場合は、通常通信期間に移行し、通信終了後に復帰するように構成される。
【０１１６】
すなわち、図２０において、最適反射特性検索期間が選択されると（ステップ２００１）、性能評価する接続素子の接続分布リストが作成される。例えばＭ種類のテスト結果を用意する（ステップ２００２）。
【０１１７】
まず最良値を初期化し（ステップ２００３）、ｉ番目の接続分布に接続状態を変更する（ステップ２００４）。そしてｉ番目の接続分布における所定の期間のＡＰでの通信性能を測定する（ステップ２００５）。
そして最良値より通信性能が高いか否かを判断し（ステップ２００６）、最良値より通信性能が高いと判断された場合はｉ番目の接続分布での通信性能を最良値として保存する（ステップ２００７）。
【０１１８】
一方最良値より通信性能が低いと判断された場合はｉ番目の接続分布での通信性能を保存することなく、次の接続分布についての処理を行いＭ番目にいくまでステップ２００４に戻り、処理ループを続行する。
【０１１９】
そして判断ステップ２００８でｉ＜Ｍでないと判断されると、ここで通信性能最良の接続分布で接続素子を接続し（ステップ２００９）、最適反射特性検索期間を完了する（ステップ２０１０）。
このようにして良好な通信性能の実現が可能となる。
【０１２０】
また、図２１にフローチャートを示すように、また、端末毎に最良な接続分布を測定し、各々の端末に対応する通信期間において、最良な接続分布に反射装置を設定するようにしてもよい。これにより、より良好な通信性能での無線通信が可能となる。
【０１２１】
すなわち、図２１において、最適反射特性検索期間が選択されると（ステップ２１０１）、性能評価する接続素子の接続分布リストが作成される。例えばＭ種類のテスト結果を用意する（ステップ２１０２）。
【０１２２】
まずアクセスポイントＡＰに接続中の端末数Ｎを調査し（ステップ２１０３）、端末毎の最良値を初期化し（ステップ２１０４）、ｉ番目の接続分布に接続状態を変更する（ステップ１８０５）。そしてｊ＝１とし（ステップ２１０６）、ｊ番目の接続分布における所定の期間のＡＰでの端末ｊに対する通信性能を測定する（ステップ２１０７）。
そして端末ｊの最良値より通信性能が高いか否かを判断し（ステップ２１０８）、最良値より通信性能が高いと判断された場合は端末ｊの最良値として保存する（ステップ２１０９）。
【０１２３】
一方最良値より通信性能が低いと判断された場合は端末ｊの接続分布での通信性能を保存することなく、ｊ＜Ｎとなるまで、各端末に対して各接続分布についての処理を行いＭ番目にいくまでステップ２１０５に戻り、処理ループを続行する。
【０１２４】
そして判断ステップ２１１１でｉ＜Ｍでないと判断されると、ここで各々の端末に対して通信性能最高の接続分布で接続素子を接続し（ステップ２１１２）、最適接続検索期間を完了する（ステップ２１１３）。
このようにして良好な通信性能の実現が可能となる。
【０１２５】
（実施の形態９）
図２２は、本発明の実施の形態９の反射装置を示す図で、図２２（ａ）は反射装置の一部断面図、図２２（ｂ）は反射装置を制御する反射装置制御装置との接続関係を無線ネットワークシステムの一部として示す図である。図２２において、図２と同じ構成要素については同じ符号を用い、説明を省略する。
【０１２６】
図２２において、反射装置４００は、反射素子片１１２および接続素子１１３を表面に形成した透明な誘電体基板４０１と、建築材を兼ねた誘電体基板４０２で構成される。誘電体基板４０２には、接続素子１１３への入力光用の光窓４０３が開けられている。遮光器４０４は、光窓４０３に装着することで、接続素子１１３への入力光を遮り、接続素子１１３を開放状態とする。反射条件制御装置４１０は、遮光器４０４に代わり光窓４０３に装着された接続状態変更素子４１１を制御して接続素子１１３への入力光の遮断、通過を切り換える接続状態制御手段４１２と、有線または無線ネットワークシステムと接続状態制御手段４１２を接続して、アクセスポイント１または端末３による制御を仲介するインターフェース手段４１３で構成される。
【０１２７】
次にこの無線ネットワークシステムにおいて反射装置を最適化し、最適な無線通信を行う条件設定方法について説明する。
図２３にフローチャートを示すように、最適設定処理開始モードに設定されると（ステップ２３０１）、無線ネットワークシステムのアクセスポイント１で反射条件制御装置４１０を制御して（ステップ２３０２）、反射装置４００の接続分布を変更し、所定の期間の無線ネットワークシステムの通信性能をアクセスポイントで記録し、より良好な通信性能となる接続分布を測定する（ステップ２３０３）。そして反射条件制御装置４１０を取り外した（ステップ２３０４）後に、最適な接続分布に対応するように、接続素子１１３への入力光を遮断する遮断器４０４を装着する（ステップ２３０５）ことで、最適設定処理完了（ステップ２３０６）となる。このようにして通信性能が最良となるように反射装置を最適化することにより、通信性能を向上することが可能となる。
【０１２８】
かかる構成により、無線ネットワークシステムのアクセスポイント１で反射条件制御装置４１０を制御して、反射装置４００の接続分布を変更し、所定の期間の無線ネットワークシステムの通信性能をアクセスポイントで記録し、より良好な通信性能となる接続分布を測定する。反射条件制御装置４１０を取り外した後に、最適な接続分布に対応するように、接続素子１１３への入力光を遮断する遮断器４０４を装着することで、通信性能を向上できる。
【０１２９】
図２４は、本発明の実施の形態９の変形例の反射装置を示す図で、図２４（ａ）は反射装置の一部断面図、図２４（ｂ）は反射装置を制御する反射装置制御装置との接続関係を無線ネットワークシステムの一部として示す図である。図２４において、反射装置４２０は、建築材を兼ねた誘電体基板４２１と、反射素子片４２２と、誘電体基板４２１にあけられた窓４２３に差し込むことで反射素子４２２を接続する導通素子４２４で構成される。反射条件制御装置４３０は、導通素子４２４に代わり装着された接続状態変更素子４３１を制御して反射素子片４２２の導通、開放を切り換える接続状態制御手段４３２と、無線ネットワークシステムと接続状態制御手段４３２を繋ぐインターフェース手段４３３で構成される。
【０１３０】
次にこの反射装置を用い無線ネットワークシステムのアクセスポイントで反射装置を最適化する方法について説明する。ここでは、図２５にフローチャートを示すように、無線ネットワークシステムのアクセスポイントで反射条件制御装置４３０を制御して、より良好な通信性能となる接続分布を測定し、反射条件制御装置４３０を取り外した後に、最適な接続分布に対応する所定の個所に導通素子を装着することで、通信性能を向上するようにしたものである。
【０１３１】
すなわち、図２５にフローチャートを示すように、最適設定処理開始モードに設定されると（ステップ２５０１）、反射装置４２０に反射条件制御装置４３０を装着する（ステップ２５０２）。無線ネットワークシステムのアクセスポイントで反射条件制御装置４３０を制御して、反射装置４２０の接続分布を変更し、所定の期間の無線ネットワークシステムの通信性能をアクセスポイントで記録し、より良好な通信性能となる接続分布を測定する（ステップ２５０３）。そして反射条件制御装置４３０を取り外した（ステップ２５０４）後に、最適な接続分布に対応するように、導通素子４２４を装着する（ステップ２４０５）ことで、最適設定処理完了（ステップ２５０６）となる。このようにして通信性能が最良となるように反射装置を最適化することにより、通信性能を向上することが可能となる。
【０１３２】
このように、無線ネットワークシステムのアクセスポイントで反射条件制御装置４３０を制御して、より良好な通信性能となる接続分布を測定し、反射条件制御装置４３０を取り外した後に、最適な接続分布に対応する所定の個所に導通素子を装着することで、通信性能を向上することが出来る。
【０１３３】
かかる構成により、無線ネットワークシステムのアクセスポイントで反射条件制御装置４３０を制御して、より良好な通信性能となる接続分布を測定し、反射条件制御装置４３０を取り外した後に、最適な接続分布に対応する所定の個所に導通素子を装着することで、通信性能を向上することが出来る。
【０１３４】
なお、導通素子により接続状態を変更する構成を示したが、予め誘電体基板上に半波長ダイポールアンテナ素子を形成し、別途測定して求めた接続分布に対応して半波長ダイポールアンテナ素子の中央部分を切断、または半波長ダイポールアンテナ素子を剥離することで、所定の接続分布に相当する半波長ダイポールアンテナ分布を実現した反射装置を用いても同様の効果が得られる。
【０１３５】
以上のように、着脱可能な遮光器または導通素子を有する反射装置と、最適な反射状態を計測する反射条件制御装置を用い、より良好な通信性能となる接続分布に反射装置を設定することで、より良好な電波伝搬特性となり、無線ネットワークシステムにおける通信性能を向上できる。
【産業上の利用可能性】
【０１３６】
本発明にかかる反射装置は、屋内外で運用される無線ネットワークシステムにおいて、より良好な電波伝搬特性へ変更する効果を有し、より良好な伝搬路形成手段として有用である。また携帯電話の液晶表示パネルに装着し、より良好な通信品質となる接続分布に設定して、携帯アンテナの指向特性を変更することで、屋外公衆網の通信性能向上の用途にも応用できる。
【図面の簡単な説明】
【０１３７】
【図１】本発明の実施の形態１における無線ネットワークシステムの全体図
【図２】本発明の実施の形態２の反射装置を示す図、（ａ）は表面図、（ｂ）は一部断面図
【図３】本発明の実施の形態２の別な形態の反射素子を示す図、（ａ）は十字状の反射素子片を用いた反射装置、（ｂ）は環状の反射素子片を用いた反射装置
【図４】本発明の実施の形態３の接続素子を示す断面図
【図５】本発明の実施の形態４の接続素子を示す拡大図
【図６】本発明の実施の形態５の反射装置を示す図、（ａ）は正面図、（ｂ）は一部断面図
【図７】本発明の実施の形態５の反射装置を装着した状態を示す図、（ａ）は斜視図、（ｂ）および（ｃ）は画素の説明図
【図８】本発明の実施の形態５における表示画像リストの一例
【図９】本発明の実施の形態５における無線ネットワークシステムにおいて反射装置を最適化するための、表示画像の選択方法を示すフローチャート図
【図１０】本発明の実施の形態５における無線ネットワークシステムにおいて反射装置を最適化するための、表示画像の選択方法を示すフローチャート図
【図１１】本発明の実施の形態５における無線ネットワークシステムにおいて反射装置を最適化するための、表示画像の選択方法を示すフローチャート図
【図１２】本発明の実施の形態６の反射装置の層構造を示した図
【図１３】本発明の実施の形態６の反射装置の層構造の変形例を示した図
【図１４】本発明の実施の形態６の反射装置を装着した端末を示した図
【図１５】本発明の実施の形態７の反射装置を示す図、（ａ）は斜視図、（ｂ）は機能ブロック図
【図１６】本発明の実施の形態７の無線ネットワークシステムにおいて反射装置を最適化し、最適な無線通信を行う条件設定方法を示す図、
【図１７】本発明の実施の形態７の無線ネットワークシステムにおいて反射装置を最適化し、最適な無線通信を行う条件設定方法を示す図、
【図１８】本発明の実施の形態７の無線ネットワークシステムにおいて反射装置を最適化し、最適な無線通信を行う条件設定方法を示す図、
【図１９】本発明の実施の形態８の反射装置の概観図
【図２０】本発明の実施の形態８の無線ネットワークシステムにおいて反射装置を最適化し、最適な無線通信を行う条件設定方法を示す図、
【図２１】本発明の実施の形態８の無線ネットワークシステムにおいて反射装置を最適化し、最適な無線通信を行う条件設定方法を示す図、
【図２２】本発明の実施の形態９の反射装置を示す図、（ａ）は反射装置の一部断面図、（ｂ）は反射装置を制御する反射装置制御装置との接続関係の図
【図２３】本発明の実施の形態９の無線ネットワークシステムにおいて反射装置を最適化し、最適な無線通信を行う条件設定方法を示す図、
【図２４】本発明の実施の形態９の変形例の反射装置を示す図、（ａ）は反射装置の一部断面図、（ｂ）は反射装置を制御する反射装置制御装置との接続関係の図
【図２５】本発明の実施の形態９の無線ネットワークシステムにおいて反射装置を最適化し、最適な無線通信を行う条件設定方法を示す図、
【図２６】従来の伝送路形成方法を示す図
【符号の説明】
【０１３８】
１  アクセスポイント、親機
２  アンテナ
３  端末、子機、ＰＣ
４  アンテナ
５  天井
６  反射板
７  携帯電話端末
８  無線ネットワークシステム運用領域
９  有線ネットワークシステム
１０  障害物、人
１００  反射装置
１１０  反射装置
１１１  誘電体基板
１１２  反射素子片
１１３  接続素子
１１４  入力光
１１５  反射素子片
１１６  反射素子片
１２０  蓄光素子
１３０  接続素子
１３１  接続素子
１４１  誘電体基板
１４２  フィルム状カバー
１４３  接着層
１５０  液晶表示パネル
１５１  表示画素
１６０  表面層
１８０  アンテナ
２００  反射装置
２０１  接続ケーブル
２１１  接続状態制御手段
２１２  インターフェース手段
３００  反射装置
３１１  誘電体基板
３１２  接続状態制御手段
４００  反射装置
４０１  誘電体基板
４０２  誘電体基板
４０３  遮光器
４１０  反射条件制御装置
４１１  接続状態切換素子
４１２  接続状態制御手段
４１３  インターフェース手段
４２０  反射装置
４２１  誘電体基板
４２２  反射素子片
４２３  導通素子
４３０  反射条件制御装置
４３１  接続状態切換素子
４３２  接続状態制御手段
４３３  インターフェース手段
【図１】
2007143044.tif 000003
【図２】
2007143044.tif 000004
【図３】
2007143044.tif 000005
【図４】
2007143044.tif 000006
【図５】
2007143044.tif 000007
【図６】
2007143044.tif 000008
【図７】
2007143044.tif 000009
【図８】
2007143044.tif 000010
【図９】
2007143044.tif 000011
【図１０】
2007143044.tif 000012
【図１１】
2007143044.tif 000013
【図１２】
2007143044.tif 000014
【図１３】
2007143044.tif 000015
【図１４】
2007143044.tif 000016
【図１５】
2007143044.tif 000017
【図１６】
2007143044.tif 000018
【図１７】
2007143044.tif 000019
【図１８】
2007143044.tif 000020
【図１９】
2007143044.tif 000021
【図２０】
2007143044.tif 000022
【図２１】
2007143044.tif 000023
【図２２】
2007143044.tif 000024
【図２３】
2007143044.tif 000025
【図２４】
2007143044.tif 000026
【図２５】
2007143044.tif 000027
【図２６】
2007143044.tif 000028